(57)【要約】【課題】入館タイマー機能および退館タイマー機能におけるタイマー時間を正確に測定して同時に警備装置に入力することができ、誤報をより低減すること。【解決手段】警備装置１００において、警備モードを切り替える警備モード切替部２１３と、警備モードの切替えの際に、所定のタイマー時間、異常を検知しても、報知を行わない異常通報部２１７と、警備モードの切替えに必要な実測時間を計測し、計測された実測時間に基づいて所定のタイマー時間を決定する計測部２１６とを備えた。【選択図】        図２
2009087039.tif 000002
【特許請求の範囲】
【請求項１】
監視領域における異常を検知して通報する警備装置において、
監視領域において、異常を検知した場合における通報先への通報の可否または前記監視領域に対する報知の可否など、前記警備装置の動作を決定する複数の状態からなる警備モードを切り替える警備モード切替手段と、
利用者による前記警備モードの切替え操作を受け付ける操作手段と、
前記監視領域における異常を検知する異常検知手段と、
前記異常検知手段によって異常を検知した場合に報知を行う手段であって、前記警備モードの切替えの際に、所定のタイマー時間、前記異常検知手段が異常を検知しても、報知を行わない報知手段と、
前記警備モードの切替えに必要な実測時間を計測し、計測された実測時間に基づいて前記所定のタイマー時間を決定する計測手段と、
を備えたことを特徴とする警備装置。
【請求項２】
前記警備モード切替手段は、前記警備モードを、異常を検知した場合でもネットワークに接続された監視センタまたは前記監視領域へ報知を行わない警備解除状態から、異常を検知した場合に前記監視センタに報知を行う警備状態へ切り替え、
前記計測手段は、前記操作手段により前記警備解除状態から前記警備状態への切替え操作を受け付けた時点から、最終退館口に設置された前記異常検知手段によって異常を検知した後復旧した時点までの時間を前記実測時間として計測することを特徴とする請求項１に記載の警備装置。
【請求項３】
前記警備モード切替手段は、さらに、前記警備モードを、前記警備状態から前記警備解除状態へ切り替え、
前記計測手段は、最終退館口に設置された前記異常検知手段によって異常を検知した時点から、前記操作手段により前記警備状態から前記警備解除状態への切替え操作を受け付ける時点までの時間を前記実測時間として計測することを特徴とする請求項２に記載の警備装置。
【請求項４】
利用者が所持する携帯端末から、前記監視領域以外の領域に到達した旨を示す到達信号を受信する受信手段をさらに備え、
前記警備モード切替手段は、さらに、前記警備モードを、前記警備解除状態から、異常を検知した場合に前記監視領域に報知を行う在宅警備状態へ切り替え、
前記計測手段は、前記操作手段により前記警備解除状態から前記在宅警備状態への切替え操作を受け付けた時点から、前記到達信号を受信した時点から遡って最後に前記異常検知手段によって異常を検知した後復旧した時点までの時間を前記実測時間として計測することを特徴とする請求項２または３に記載の警備装置。
【請求項５】
前記警備モード切替手段は、さらに、前記警備モードを、前記在宅警備状態から前記警備解除状態へ切り替え、
前記計測手段は、最初に前記異常検知手段によって異常を検知した時点から前記操作手段により前記在宅警備状態から前記警備解除状態への切替え操作を受け付けた時点までの時間を前記実測時間として計測することを特徴とする請求項４に記載の警備装置。
【請求項６】
前記計測手段は、前記計測された実測時間に所定の猶予時間を付加して前記所定のタイマー時間を決定することを特徴とする請求項１〜５のいずれか一つに記載の警備装置。
【請求項７】
複数の前記実測時間に基づいて前記タイマー時間を補正する補正手段をさらに備えたことを特徴とする請求項１〜６のいずれか一つに記載の警備装置。
【請求項８】
前記補正手段は、複数の前記実測時間のそれぞれと前記タイマー時間との差が所定の適正判定範囲の上限値以上である場合が所定回数以上ある場合には、前記タイマー時間を前記第１閾値に基づいて減少して補正することを特徴とする請求項７に記載の警備装置。
【請求項９】
前記補正手段は、複数の前記実測時間のそれぞれと前記タイマー時間との差が所定の適正判定範囲の下限値以下である場合が所定回数以上ある場合には、前記タイマー時間を前記第２閾値に基づいて増加して補正することを特徴とする請求項７または８に記載の警備装置。
【請求項１０】
監視領域における異常を検知して通報する警備装置で実行されるタイマー時間決定方法であって、
警備モード切替え手段が、監視領域において、異常を検知した場合における通報先への通報の可否または前記監視領域に対する報知の可否など、前記警備装置の動作を決定する複数の状態からなる警備モードを切り替える警備モード切替工程と、
操作手段が、利用者による前記警備モードの切替え操作を受け付ける操作工程と、
異常検知手段が、前記監視領域における異常を検知する異常検知工程と、
報知手段が、前記異常検知手段によって異常を検知した場合に報知を行う工程であって、前記警備モードの切替えの際に、所定のタイマー時間、前記異常検知手段が異常を検知しても、報知を行わない報知工程と、
計測手段が、前記警備モードの切替えに必要な実測時間を計測し、計測された実測時間に基づいて前記所定のタイマー時間を決定する計測工程と、
を含むことを特徴とするタイマー時間決定方法。
【発明の詳細な説明】
【技術分野】
【０００１】
本発明は、監視領域の異常を検知して報知する際の退館タイマーおよび入館タイマーのタイマー時間を決定する警備装置及びタイマー時間決定方法に関する。
【背景技術】
【０００２】
センサにより監視領域の異常を検知してネットワークに接続された監視センサまたは監視領域に報知する警備装置では、監視領域内に警備状態への設定および解除等、利用者による警備モードの切替え操作を行う操作手段としてのコントローラを設置している。したがって、警備状態を解除する場合には、警備状態の監視領域内に入りコントローラを操作する必要がある。
【０００３】
このため、警備装置は、利用者による警備モードの警備解除状態への切替え操作が完了するまでの時間のセンサ検知については、警報として報知しないという入館タイマーの機能を有している。
【０００４】
一方、利用者が外出等を行う場合には、警備モードを警備状態に切替え操作してから監視領域から退館するまでの時間のセンサ検知については、警報として報知しないという退館タイマーの機能も有している。
【０００５】
入館タイマーおよび退館タイマーのタイマー時間は、短ければ短いほどセキュリティの向上を図ることができるが、タイマー時間が短すぎると、警備状態への切替え操作から退館完了までの間や入館してから警備解除状態への切替え操作の間に間に合わず、誤報が発生し、運用に支障をきたしたり、誤報を受けて出動する警備員の負担が増大するという問題がある。
【０００６】
このため、従来技術では、入館または退館に必要な時間を正確に測定するために、実際の入館時または退館時の動作を操作者が行い、その所要時間をストップウォッチで計測して、警備装置の初期設定において、入館タイマと退館タイマのタイマー時間を予め計測した時間（例えば６０秒等）に設定する技術が知られている（例えば、特許文献１、２参照）。
【０００７】
【特許文献１】特開昭５９−５２３９７号公報
【特許文献２】特開平７−２９０７７号公報
【発明の開示】
【発明が解決しようとする課題】
【０００８】
しかしながら、これらの従来技術では、入退館経路に空間センサが設置されている場合、センサの検知終了タイミングを正確に把握することができないため、設定されたタイマー時間が必ずしも適正であるとは限らないという問題がある。
【０００９】
本発明は、上記に鑑みてなされたものであって、入館タイマー機能および退館タイマー機能におけるタイマー時間を正確に測定して同時に警備装置に入力することができ、誤報をより低減することができる警備装置およびタイマー時間決定方法を提供することを目的とする。
【課題を解決するための手段】
【００１０】
上述した課題を解決し、目的を達成するために、本発明は、監視領域における異常を検知して通報する警備装置において、監視領域において、異常を検知した場合における通報先への通報の可否または前記監視領域に対する報知の可否など、前記警備装置の動作を決定する複数の状態からなる警備モードを切り替える警備モード切替手段と、利用者による前記警備モードの切替え操作を受け付ける操作手段と、前記監視領域における異常を検知する異常検知手段と、前記異常検知手段によって異常を検知した場合に報知を行う手段であって、前記警備モードの切替えの際に、所定のタイマー時間、前記異常検知手段が異常を検知しても、報知を行わない報知手段と、前記警備モードの切替えに必要な実測時間を計測し、計測された実測時間に基づいて前記所定のタイマー時間を決定する計測手段と、を備えたことを特徴とする。
【００１１】
また、本発明は、上記警備装置で実行されるタイマー時間決定方法である。
【発明の効果】
【００１２】
本発明によれば、警備モードの切替えに必要な実測時間を計測し、計測された実測時間に基づいて前記所定のタイマー時間を決定することで、入館タイマー機能および退館タイマー機能におけるタイマー時間を正確に測定して同時に警備装置に入力することができ、誤報をより低減することができるという効果を奏する。
【００１３】
また、本発明によれば、タイマー時間が設定後不適切となった場合でも、入館タイマー機能および退館タイマー機能における、より適切なタイマー時間を警備装置に入力することができ、誤報をより低減することができるという効果を奏する。
【発明を実施するための最良の形態】
【００１４】
以下に添付図面を参照して、この発明にかかる警備装置およびタイマー時間決定方法の最良な実施の形態を詳細に説明する。
【００１５】
（実施の形態１）
実施の形態１の警備装置は、住人が警備モードを警備状態または在宅警備状態に切り替えた時点から最後にセンサから検知信号を受信した時点までの実測時間、および住人を最初にセンサ２０３が検知した場合の検知信号を受信した時点から住人が警備モードを警備解除状態に切り替えた時点までの実測時間を計測して、実測時間に猶予時間を加算した値をタイマー時間（退館タイマー時間、入館タイマー時間）と決定するものである。なお、この実測時間の計測は警備装置の初期設定において通常行うことを想定している。
【００１６】
図１は、実施の形態１の警備装置およびセンサの監視領域内の配置図である。本実施の形態の警備装置１００は、監視領域における異常を監視するものであり、住居内において最終退館口となる玄関とは異なる部屋であるリビングに設置されている。ここで、監視領域は、本実施の形態では、図１に示されるリビング、和室、寝室などの部屋の全部または一部と玄関である。
【００１７】
また、警備装置１００は、監視センタ（図示せず）に有線または無線のネットワークで接続されている。ここで、監視センタは、警備装置１００からの異常を検知した旨の通報を受信した場合に、待機中の警備員に対して異常が検知された監視領域へ向かう旨の指示を出すとともに、必要に応じて警察や消防など関係機関への通報を行うセンタである。
【００１８】
警備装置１００は、監視領域の警備モード（後述）が警備状態であるときに、監視領域に入館した不正な入館者（侵入者）などの異常を検知した場合、監視センタに異常通報を行ったり、監視領域内に警報を出力する。
【００１９】
また、図１に示すように、複数のセンサ２０３が各部屋と玄関に設置されている。この複数のセンサ２０３は、監視領域である各部屋に入室してきた入室者を検知する目的で設置されたセンサであり、例えば、赤外線の受光量の変化をもとに人の存在を検出する赤外線センサ、赤外線などの受信が遮断されることで人の存在を検出する遮断センサ、および電磁波の乱れで人の存在を検知する電波センサ等が該当する。各センサ２０３と警備装置１００は、有線または無線で接続されており、センサ２０３が人の存在を検知した場合に検知信号を警備装置１００に送信する。
【００２０】
図２は、実施の形態１の警備装置１００の機能的構成を示すブロック図である。警備装置１００は、図２に示すように、本体部２１０とコントローラ２３０とを備えており、監視センタ（図示せず）の他、住人が所持する携帯電話等の携帯端末３００と無線ネットワークで接続されている。
【００２１】
携帯端末３００は、住人が所持しており、押しボタン（図示せず）が設けられている。この携帯端末３００は、これを所持している住人から押しボタンの押下を受けると、在宅警備時（後述）に監視対象となっていない住居内の非監視領域に到着した旨の到着信号を警備装置１００に送信する。
【００２２】
警備装置１００のコントローラ２３０は、警備装置１００の一部をなすものであるが、リビングや廊下の壁など警備装置１００の本体部２１０とは別個に設置されており、警備装置１００の本体の入出力制御部２１１に有線または無線で接続されている。
【００２３】
コントローラ２３０は、操作表示部２３１と、マイク２３２と、スピーカ２３３とを備えている。操作表示部２３１は、住人に対して各種画面の表示を行う。また、操作表示部２３１は、住人からの警備モードを切替える操作（切替操作）等を受け付けて、受け付けた切替操作後の警備モード（警備状態または警備解除状態）を示す切替信号を警備装置１００の本体部の入出力制御部２１１に送出する。操作表示部２３１は、例えばタッチ入力式の液晶画面等が該当する。
【００２４】
本体部２１０は、入出力制御部２１１と、警備モード切替部２１３と、警備モード記憶部２１２と、タイマー２１５と、計測部２１６と、異常通報部２１７と、時間記憶部２１４と、通信制御部２０６とを主に備えている。
【００２５】
入出力制御部２１１は、コントローラ２３０（操作表示部２３１、マイク２３２、スピーカ２３３）の入出力制御、センサ２０３の入力制御により種々のデータの入出力を制御する処理部である。
【００２６】
通信制御部２０６は、警備装置１００とネットワーク２００との間における通信を制御するものであり、具体的にはネットワークボードなどが該当する。
【００２７】
警備モード記憶部２１２は、各種警備モード、および監視領域における現在の警備モードを記憶するメモリなどの記憶媒体である。すなわち、警備モード記憶部２１２には、現在の警備モードが記憶されていることになる。
【００２８】
ここで、警備モードとは、監視領域において異常検知した際の通報先への通報の可否、または監視領域内に対する報知の可否などを定めたモードであり、異常を検知したときの警備装置１００の動作を決定するモードである。警備モードは、通報の可否および通報先、監視領域への報知の有無などによって複数のモードが存在する。代表的な警備モードとしては、警備状態、在宅警備状態、警備解除状態が存在し、コントローラ２３０又はサブコントローラ２３０（コントローラは複数設定することも可能）における操作により、監視領域の警備モードを設定するようにしている。
【００２９】
まず、警備状態とは、主に住人が外出中、警備を必要とする場合に設定する警備モードであり、センサ２０３によって異常を検知したときに発せられる検知信号を警備装置１００が受信した場合に、監視センタに異常を知らせる警報を監視センタに通報する状態である。なお、監視領域において異常を検知したことをスピーカ２３３に報知する場合もある。これは、侵入者を威嚇する目的や誤報である場合に警報解除操作を促す目的で報知するものである。
【００３０】
在宅警備状態とは、主に住人が在宅中、警備を必要とする場合に設定する警備モードであり、家庭内の一部の部屋を監視領域とした場合において、センサ２０３によって当該監視領域内で異常を検知したときに発せられる検知信号を警備装置１００が受信した場合に、監視領域において異常を検知したことをスピーカ２３３等で報知する状態である。なお、監視領域だけではなく監視センタに異常を知らせる警報を報知する場合もある。これは、在宅時においても監視センタへの通報を行う契約を結んだ場合であり、監視領域において異常を検知したことを報知した後に、監視センタに通報を行うなどの動作をする。
【００３１】
警備解除状態とは、主に住人が在宅中、警備を必要としない場合に設定する警備モードであり、センサ２０３によって異常を検知したときに発せられる検知信号を警備装置１００が受信した場合でも、監視センタへの警報の通報、監視領域における異常の検知、通報先端末への異常の通報のいずれも行わない状態である。これは、センサにより異常が検知（人の存在の検知、扉の開閉の検知）されても、在宅中の住人を検知したものと判断するためである。
【００３２】
なお、検知された異常が火災やガス漏れの場合、または、非常ボタンが操作された場合は、前記いずれの警備モードであるかによらず、監視センタへの通報、各エリアへの異常が検知された旨の報知などを行う。
【００３３】
警備モード切替部２１３は、コントローラ２３０から入出力制御部２１１を介して切替信号を受け取り、受取った切替信号（すなわち、切り替え操作により指定された警備モード）に従って、警備モード記憶部２１２に、切り替え後の警備モードを記憶させることにより、現在の監視領域における警備モードの切替えを行うものである。
【００３４】
タイマー２１５は、センサ２０３によって外出先から監視領域に入室してきた入室者が検知された場合、その検知された時点から外出時入館タイマー時間をタイマー設定する。また、タイマー２１５は、在宅時に非監視領域に設定された部屋から監視領域に設定された部屋に入室してきた入室者がセンサ２０３によって検知された場合、その検知された時点から在宅時入館タイマー時間をタイマー設定する。
【００３５】
また、タイマー２１５は、住人による警備モードの警備状態への切替操作があった場合、その時点から外出時退館タイマー時間をタイマー設定する。また、タイマー２１５は、住人による警備モードの在宅警備状態への切替操作があった場合、その時点から在宅時退館タイマー時間をタイマー設定する。
【００３６】
時間記憶部２１４は、外出時入館タイマー時間と、外出退館タイマー時間と、在宅時入館タイマー時間と、在宅時退館タイマー時間とを記憶するメモリ等の記憶媒体である。
【００３７】
異常通報部２１７は、監視領域の警備モードが警備状態であるときに、センサ２０３によって監視領域に外部から入室した入室者が検知された場合、監視センタへ異常を検知した旨の通報を行なうものである。
【００３８】
また、本実施の形態では、タイマー２１５によりタイマー設定された外出時入館タイマー時、外出時退館タイマー時間、在宅時入館タイマー時間および在宅時退館タイマー時間のそれぞれの経過前は、警備状態または在宅警備状態の監視領域のセンサ２０３から検知信号を受信した場合では、当該検知信号を一時留保し、監視センタへ通報または監視領域内への報知が行われないようにしている。
【００３９】
計測部２１６は、警備装置１００が実測モードに設定されている場合に、警備モードの切替え操作の際に必要な実測時間を計測し、計測された実測時間に猶予時間を付与して外出時入館タイマー時、外出時退館タイマー時間、在宅時入館タイマー時間および在宅時退館タイマー時間を決定するものである。ここで、実測モードは、入館時の場合には、センサ２０３による検知信号を受信した時点から警備モードの切替操作を行った時点までの時間、退館時には警備モードの切替操作を行った時点から最後にセンサ２０３が検知信号を検知した後復旧信号を受信した（復旧した）時点までの時間を計測部２１６に計測させるためのモードである。実測モードは、利用者によりコントローラ２３０の操作表示部２３１により設定され、実測モードの設定入力が行われた場合には、現在のモードが実測モードである旨がＲＡＭ（Ｒａｎｄｏｍ  Ａｃｃｅｓｓ  Ｍｅｍｏｒｙ）等のメモリに保持される。計測部２１６は、このＲＡＭに記憶されている現在のモードを参照して、警備装置１００が現在実測モードに設定されているか否かを判断する。
【００４０】
具体的には、計測部２１６は、住人が住居から外出する際に、住人による警備モードの警備解除状態から警備状態への切替え操作を操作表示部２３１から受け付けた時点から、最終退館口（図１の例では玄関）に設置されたセンサ２０３による検知信号を受信した後復旧信号受信した（復旧した）時点までの時間を実測時間として計測する。そして、計測部２１６は、この実測時間に猶予時間を加算して、加算値を外出時退館タイマー時間として時間記憶部２１４に保存する。
【００４１】
また、計測部２１６は、外出中の住人が帰宅して監視領域である住居内に入室する際に、最終退館口である玄関に設置されたセンサ２０３から検知信号を受信した時点から、入室者による警備モードの警備状態から警備解除状態への切替え操作を受け付けた時点までの時間を実測時間として計測する。そして、計測部２１６は、この実測時間に猶予時間を加算して、加算値を外出時入館タイマー時間として時間記憶部２１４に保存する。
【００４２】
また、計測部２１６は、住居内の監視領域から非監視領域（例えば、寝室）に移動して在宅警備を行う際に、住人による警備モードの警備解除状態から在宅警備状態への切替え操作を操作表示部２３１から受け付けた時点から、住人からの携帯端末３００による到着信号の受信した時点から遡って最後にセンサ２０３から検知信号を受信した後復旧信号を受信した（復旧した）時点までの時間を実測時間として計測する。そして、計測部２１６は、この実測時間に猶予時間を加算して、加算値を在宅時退館タイマー時間として時間記憶部２１４に保存する。
【００４３】
ここで、携帯端末３００から到達信号を受信し、かつ受信た時点から遡って最後に検知信号を受信した時点までの時間を計測する理由は、在宅警備においては、住人は最終退館口を通る可能性は少なく、いずれかの監視領域を通過して非監視領域に移動し、また非監視領域まで移動する退館経路も一定でないため、非監視領域の設定のいかんによって最後にセンサ２０３から検知信号をいつ受信したかを特定することが困難であるからである。
【００４４】
また、計測部２１６は、住人が住居内の非監視領域から監視領域に移動して在宅警備を解除する際に、最初にセンサ２０３から検知信号を受信した時点から、住人による警備モードの在宅警備状態から警備解除状態への切替え操作を受け付けた時点までの時間を実測時間として計測する。そして、計測部２１６は、この実測時間に猶予時間を加算して、加算値を在宅時入館タイマー時間として時間記憶部２１４に保存する。ここで、いずれの場合も、猶予時間は任意に定めることができる。
【００４５】
なお、非監視領域まで移動する退館経路が一定でないため、最後に検知信号を発信したセンサ２０３が異なる場合があるが、警備装置１００では受信した検知信号をセンサ単位で認識するため、警備モードの切替操作に要する時間が長いセンサ２０３を実測時間の計測の対象とする。
【００４６】
また、コントローラ２３０が複数設定されている場合には、その設置されている場所によって各コントローラ２３０の警備モードの切替操作に要する時間が異なる場合がある。この場合には、各コントローラ２３０ごとに実測時間の計測、タイマー時間の補正を行うように構成すればよい。
【００４７】
次に、以上のように構成された実施の形態１にかかる警備装置１００によるタイマー時間の決定処理について説明する。
【００４８】
まず、外出の際の警備時における外出時退館タイマー時間、外出時入館タイマー時間の決定処理について説明する。図３は、実施の形態１の外出時退館タイマー時間の決定処理の手順を示すフローチャートである。
【００４９】
住人が外出する際に、コントローラ２３０の操作表示部２３１を操作して警備モードを警備解除状態から警備状態に切り替える操作を行う。これにより、入出力制御部２１１が警備解除状態から警備状態への切り替え操作を受付けると（ステップＳ１１）、計測部２１６は、ＲＡＭを参照して現在のモードが実測モードに設定されているか否かを調べる（ステップＳ１２）。
【００５０】
そして、警備装置１００の現在のモードが実測モードでない場合には（ステップＳ１２：Ｎｏ）、タイマー２１５は、時間記憶部２１４に保存されている外出時退館タイマー時間を読み出す（ステップＳ１９）。そして、タイマー２１５は、読み出した外出時退館タイマー時間をタイマー設定して、異常通報部２１７は通常の外出時退館タイマー設定処理を行う（ステップＳ２０）。
【００５１】
一方、ステップＳ１２において、警備装置１００が、現在実測モードに設定されている場合には（ステップＳ１２：Ｙｅｓ）、計測部２１６は時間計測を開始する（ステップＳ１３）。
【００５２】
そして、最終退館口のセンサ２０３から検知信号を受信するまで待機する（ステップＳ１５：Ｎｏ）。最終退館口のセンサ２０３から検知信号を受信し、その後復旧した場合（復旧信号を受信した場合）には（ステップＳ１５：Ｙｅｓ）、計測部２１６は、住人が外出のために玄関に入室し、外へ退出したと判断して、時間計測を終了する（ステップＳ１６）。
【００５３】
次に、計測部２１６は、計測時間を実測時間とし、この実測時間に猶予時間を加算して外出時退館タイマー時間を算出し（ステップＳ１７）、この外出時退館タイマー時間を時間記憶部２１４に保存する（ステップＳ１８）。これにより、実測時間に基づいた正確な外出時退館タイマー時間が求められることになる。
【００５４】
図４は、実施の形態１の外出時入館タイマー時間の決定処理の手順を示すフローチャートである。
【００５５】
外出中の住人が外部から住居内の最終退館口である玄関に入室すると、玄関に設置されたセンサ２０３が住人を検知し、検知信号を警備装置１００に送信する。警備装置１００の入出力制御部２１１が最終退館口のセンサ２０３からの検知信号を受信すると（ステップＳ３１：Ｙｅｓ）、計測部２１６は、ＲＡＭを参照して現在のモードが実測モードに設定されているか否かを調べる（ステップＳ３２）。
【００５６】
そして、警備装置１００の現在のモードが実測モードでない場合には（ステップＳ３２：Ｎｏ）、タイマー２１５は、時間記憶部２１４に保存されている外出時入館タイマー時間を読み出す（ステップＳ３９）。そして、タイマー２１５は、読み出した外出時入館タイマー時間をタイマー設定して、異常通報部２１７は通常の外出時入館タイマー設定処理を行う（ステップＳ４０）。
【００５７】
一方、ステップＳ３２において、警備装置１００が、現在実測モードに設定されている場合には（ステップＳ３２：Ｙｅｓ）、計測部２１６は時間計測を開始する（ステップＳ３３）。
【００５８】
そして、住人がコントローラ２３０の操作表示部２３１を操作して警備モードを警備状態から警備解除状態に切り替える操作を行う。これにより、入出力制御部２１１が警備状態から警備解除状態への切り替え操作を受付けると（ステップＳ３４：Ｙｅｓ）、計測部２１６は時間計測を終了する（ステップＳ３５）。
【００５９】
次に、計測部２１６は、この計測時間を実測時間とし、この実測時間に猶予時間を加算して外出時入館タイマー時間を算出し（ステップＳ３６）、この外出時入館タイマー時間を時間記憶部２１４に保存する（ステップＳ３７）。これにより、実測時間に基づいた正確な外出時入館タイマー時間が、求められることになる。
【００６０】
次に、在宅警備時における在宅時退館タイマー時間、在宅時入館タイマー時間の決定処理について説明する。図５は、実施の形態１の在宅時退館タイマー時間の決定処理の手順を示すフローチャートである。ここで、住居内の一部の部屋（例えば、寝室）が非監視領域に設定され、その他の部屋が監視領域に設定されているものとする。なお、かかる監視領域、非監視領域の設定は、コントローラ２３０の操作表示部２３１から住人によって予め設定される。
【００６１】
例えば、住人が就寝する際に、リビングのコントローラ２３０の操作表示部２３１を操作して警備モードを警備解除状態から在宅警備状態に切り替える操作を行う。これにより、入出力制御部２１１が警備解除状態から在宅警備状態への切り替え操作を受付けると（ステップＳ５１）、計測部２１６は、ＲＡＭを参照して現在のモードが実測モードに設定されているか否かを調べる（ステップＳ５２）。
【００６２】
そして、警備装置１００の現在のモードが実測モードでない場合には（ステップＳ５２：Ｎｏ）、タイマー２１５は、時間記憶部２１４に保存されている在宅時退館タイマー時間を読み出す（ステップＳ５９）。そして、タイマー２１５は、読み出した在宅時退館タイマー時間をタイマー設定して、異常通報部２１７は通常の在宅時退館タイマー設定処理を行う（ステップＳ６０）。
【００６３】
一方、ステップＳ５２において、警備装置１００が、現在実測モードに設定されている場合には（ステップＳ５２：Ｙｅｓ）、計測部２１６は時間計測を開始する（ステップＳ５３）。
【００６４】
そして、住人が所持する携帯端末３００から非監視領域である寝室に到着した旨を示す到着信号を受信するまで待機する（ステップＳ５５：Ｎｏ）。携帯端末３００から到着信号を受信した場合には（ステップＳ５５：Ｙｅｓ）、計測部２１６は住人は就寝のために非監視領域である寝室に入室したと判断して、時間計測を終了する（ステップＳ５６）。
【００６５】
次に、計測部２１６は、在宅警備状態への切替時点から、この計測時間から遡って最後にセンサ２０３から受信した復旧信号の受信時刻までの時間を実測時間とし、この実測時間に猶予時間を加算して在宅時退館タイマー時間を算出する（ステップＳ５７）。そして、計測部２１６は、この在宅時退館タイマー時間を時間記憶部２１４に保存する（ステップＳ５８）。これにより、実測時間に基づいた正確な在宅時退館タイマー時間が求められることになる。
【００６６】
図６は、実施の形態１の在宅時入館タイマー時間の決定処理の手順を示すフローチャートである。
【００６７】
非監視領域である寝室にいる住人が監視領域の部屋に入室すると、監視領域に設置されたセンサ２０３が住人を検知し、検知信号を警備装置１００に送信する。警備装置１００の入出力制御部２１１が在宅警備の領域の最初にセンサ２０３からの検知信号を受信すると（ステップＳ７１：Ｙｅｓ）、計測部２１６は、ＲＡＭを参照して現在のモードが実測モードに設定されているか否かを調べる（ステップＳ７２）。
【００６８】
そして、警備装置１００の現在のモードが実測モードでない場合には（ステップＳ７２：Ｎｏ）、現在の警備モードが在宅警備状態か否かを判断する（ステップＳ７８）、そして、現在の警備モードが在宅警備状態でない場合には（ステップＳ７８：Ｎｏ）、処理を終了する。一方、現在の警備モードが在宅警備状態である場合には（ステップＳ７８：Ｙｅｓ）、タイマー２１５は、時間記憶部２１４に保存されている在宅時入館タイマー時間を読み出す（ステップＳ７９）。そして、タイマー２１５は、読み出した在宅時入館タイマー時間をタイマー設定して、異常通報部２１７は通常の在宅時入館タイマー設定処理を行う（ステップＳ８０）。
【００６９】
一方、ステップＳ７２において、警備装置１００が、現在実測モードに設定されている場合には（ステップＳ７２：Ｙｅｓ）、計測部２１６は時間計測を開始する（ステップＳ７３）。
【００７０】
そして、住人がコントローラ２３０の操作表示部２３１を操作して警備モードを在宅警備状態から警備解除状態に切り替える操作を行う。これにより、入出力制御部２１１が在宅警備状態から警備解除状態への切り替え操作を受付けると（ステップＳ７４：Ｙｅｓ）、計測部２１６は時間計測を終了する（ステップＳ７５）。
【００７１】
次に、計測部２１６は、この計測時間を実測時間とし、この実測時間に猶予時間を加算して在宅時入館タイマー時間を算出し（ステップＳ７６）、この在宅時入館タイマー時間を時間記憶部２１４に保存する（ステップＳ７７）。これにより、実測時間に基づいた正確な在宅時入館タイマー時間が、求められることになる。
【００７２】
このように実施の形態１にかかる警備装置１００では、実際の警備モードの切替の際に、必要な時間を実測時間として計測して、この計測された実測時間に猶予時間を加算して各タイマー時間を決定しているので、より正確なタイマー時間を決定することができ、誤報をより低減することができる。
【００７３】
なお、本実施の形態では、警備装置１００の設置場所をリビングとしているがこれに限定されるものではなく、いずれの部屋に設置することができる。
【００７４】
また、本実施の形態では、在宅警備時の非監視領域を寝室とし、他の部屋を監視領域と設定しているが、これに限定されるものではなく、いずれの部屋も監視領域、非監視領域に設定することができる。
【００７５】
（実施の形態２）
実施の形態１の警備装置は、住人が警備モードを警備状態または在宅警備状態に切り替えた時点から最後にセンサ２０３から復旧信号を受信した時点までの実測時間、住人を最初にセンサ２０３が検知した場合の検知信号を受信した時点から住人が警備モードを警備解除状態に切り替えた時点までの実測時間を計測して、実測時間に猶予時間を加算した値を外出時入館タイマー時間、外出時退館タイマー時間、在宅時入館タイマー時間、在宅時退館タイマー時間と決定していた。実施の形態２の警備装置では、さらに、実施の形態１のように決定した外出時入館タイマー時間、外出時退館タイマー時間、在宅時入館タイマー時間、在宅時退館タイマー時間を補正することを可能としている。
【００７６】
図７は、実施の形態２の警備装置７００の機能的構成を示すブロック図である。警備装置７００は、図７に示すように、警備装置７００は、本体部７１０とコントローラ２３０とを備えており、監視センタ（不図示）の他、住人が所持する携帯電話等の携帯端末３００と無線ネットワークで接続されている。ここで、コントローラ２３０、携帯端末３００の機能および構成は、実施の形態１と同様である。
【００７７】
本体部７１０は、入出力制御部２１１と、警備モード切替部２１３と、警備モード記憶部２１２と、タイマー２１５と、計測部２１６と、異常通報部２１７と、時間記憶部２１４と、通信制御部２０６と、補正部７０１と、実測時間記憶部７０２とを主に備えている。ここで、入出力制御部２１１、警備モード切替部２１３、警備モード記憶部２１２、タイマー２１５、計測部２１６、異常通報部２１７、時間記憶部２１４、通信制御部２０６の機能および構成は、実施の形態１と同様である。
【００７８】
実測時間記憶部７０２は、住人が警備モードを警備状態または在宅警備状態に切り替えた時点から最後にセンサ２０３から検知信号を受信した後復旧信号を受信した時点までの実測時間を退館ごとに、住人を最初にセンサ２０３が検知した場合の検知信号を受信した時点から住人が警備モードを警備解除状態に切り替えた時点までの実測時間を入館ごとにそれぞれすべて記憶しておくためのメモリ等の記憶媒体である。
【００７９】
補正部７０１は、実測時間記憶部７０２に記憶された複数回の実測時間に基づいて各タイマー時間を補正するものである。具体的には、補正部７０１は、複数回の実測時間のそれぞれとタイマー時間との差が所定の適正判定範囲の上限値（第１閾値）以上である場合が所定回数以上ある場合には、外出時入館タイマー時間、外出時退館タイマー時間、在宅時入館タイマー時間、在宅時退館タイマー時間（以下、「タイマー時間」という。）を適正範囲に基づいた補正量だけ減少して補正する。
【００８０】
図８は、タイマー時間の減少補正を説明するための図である。ここでは、初回の実測時間に猶予時間を加算したタイマー時間が設定されている状態を示している。２回目以降の複数の実測時間（実測時間記憶部７０２に記憶されている）は、複数の白抜き四角形状の点で示されている。補正部７０１は、これらの各実測時間と設定されているタイマー時間の差分をそれぞれ算出する。図８において、適正判定範囲は、上記差分値が当該範囲に属する場合にタイマー時間の補正を必要としない範囲である。減少補正判定範囲は、上記差分値が当該範囲に属する場合にタイマー時間の減少補正を行う範囲であり、適正判定範囲の上限値（第１閾値）以上一定時間の範囲である。増加補正判定範囲は、上記差分値が当該範囲に属する場合にタイマー時間の増加補正を行う範囲であり、適正判定範囲の下限値（第２閾値）以下でタイマー時間までの範囲である。ここで、図８では、差分の大きさを考えているので、タイマー時間の位置を差分０として、図８の左方向に向けて値が増加する方向と考える。
【００８１】
図８の例において、減少補正判定範囲に属する実測時間の数（実測の回数）が所定回数以上である場合、すなわち、実測時間とタイマー時間との差分が適正判定範囲の上限値（第１閾値）以上である回数が所定回数以上である場合には、タイマー時間を第１閾値と第２閾値の間の範囲（すなわち適正判定範囲）の１／２の値の補正量だけ減少して補正する。
【００８２】
ここで、本実施の形態では、減少補正の際の補正量を適正判定範囲の１／２としているが、これに限定されるものではない。
【００８３】
また、補正部７０１は、複数の実測時間のそれぞれとタイマー時間との差分が所定の適正判定範囲の下限値（第２閾値）以下である場合が所定回数以上ある場合には、タイマー時間を適正判定範囲に基づいた補正量だけ増加して補正する。
【００８４】
図９は、タイマー時間の増加補正を説明するための図である。図９では、図８と同様に、２回目以降の複数の実測時間（実測時間記憶部７０２に記憶されている）は、複数の□の点で示されている。また、図９では、図８と同様に、適正補正範囲、増加補正判定範囲、減少補正判定範囲が定められている。
【００８５】
図９の例において、増加補正判定範囲に属する実測時間の数（実測の回数）が所定回数以上である場合、すなわち、実測時間とタイマー時間との差分が適正判定範囲の下限値（第２閾値）以下である回数が所定回数以上である場合には、タイマー時間を適正判定範囲の１／２の値の補正量だけ増加して補正する。
【００８６】
ここで、本実施の形態では、増加補正の際の補正量を適正判定範囲の１／２としているが、これに限定されるものではない。
【００８７】
次に、以上のように構成された本実施の形態の警備装置７００によるタイマー時間の補正処理について説明する。図１０は、外出時退館タイマー時間の補正処理の手順を示すフローチャートである。
【００８８】
まず、補正部７０１は、外出退館時の実測時間を実測時間記憶部７０２からすべて読み出して取得する（ステップＳ９１）。そして、補正部７０１は、取得した実測時間のそれぞれと時間記憶部に記憶された外出時退館タイマー時間との差分を算出する（ステップＳ９２）。そして、補正部７０１は、適正判定範囲の上限値（第１閾値）以上の差分が所定数以上存在するか否かを判断する（ステップＳ９３）。
【００８９】
そして、適正判定範囲の上限値（第１閾値）以上の差分が所定数以上存在する場合には（ステップＳ９３：Ｙｅｓ）、補正部７０１は、適正判定範囲に基づいた補正量、すなわち適正判定範囲の１／２の補正量分だけ外出時退館タイマー時間を減少補正する（ステップＳ９４）。そして、補正部７０１は、補正後の外出時退館タイマー時間を時間記憶部２１４に保存する（ステップＳ９５）。
【００９０】
一方、ステップＳ９３において、適正判定範囲の上限値（第１閾値）以上の差分が所定数以上存在しない場合には（ステップＳ９３：Ｎｏ）、補正部７０１は、適正判定範囲の下限値（第２閾値）以下の差分が所定数以上存在するか否かを判断する（ステップＳ９６）。
【００９１】
そして、適正判定範囲の下限値（第２閾値）以下の差分が所定数以上存在する場合には（ステップＳ９６：Ｙｅｓ）、補正部７０１は、適正判定範囲に基づいた補正量、すなわち適正判定範囲の１／２の補正量分だけ外出時退館タイマー時間を増加補正する（ステップＳ９７）。そして、補正部７０１は、補正後の外出時退館タイマー時間を時間記憶部２１４に保存する（ステップＳ９５）。
【００９２】
一方、ステップ９６において、適正判定範囲の下限値（第２閾値）以下の差分が所定数以上存在しない場合には（ステップＳ９６：Ｎｏ）、タイマー時間の補正は行わずに処理を終了する。
【００９３】
以上の処理は、外出時入館タイマー時間、在宅時入館タイマー時間、在宅時退館タイマー時間の補正についても同様に行われる。
【００９４】
このように実施の形態２にかかる警備装置７００では、実測時間に基づいてタイマー時間を補正しているので、タイマー時間が設定後不適切であった場合でも、実測時間に基づいて補正を行って、入館タイマー機能および退館タイマー機能におけるタイマー時間を正確に測定して同時に警備装置に入力することができ、誤報をより低減することができる。
【００９５】
なお、本発明は、上記実施の形態そのままに限定されるものではなく、実施段階ではその要旨を逸脱しない範囲で構成要素を変形して具体化することができる。また、上記実施の形態に開示されている複数の構成要素の適宜な組み合わせにより、種々の発明を形成することができる。例えば、実施の形態に示される全構成要素からいくつかの構成要素を削除してもよい。さらに、異なる実施の形態にわたる構成要素を適宜組み合わせても良い。
【図面の簡単な説明】
【００９６】
【図１】実施の形態１の警備装置およびセンサの監視領域内の配置図である。
【図２】実施の形態１の警備装置１００の機能的構成を示すブロック図である。
【図３】実施の形態１の外出時退館タイマー時間の決定処理の手順を示すフローチャートである。
【図４】実施の形態１の外出時入館タイマー時間の決定処理の手順を示すフローチャートである。
【図５】実施の形態１の在宅時退館タイマー時間の決定処理の手順を示すフローチャートである。
【図６】実施の形態１の在宅時入館タイマー時間の決定処理の手順を示すフローチャートである。
【図７】実施の形態２の警備装置７００の機能的構成を示すブロック図である。
【図８】タイマー時間の減少補正を説明するための図である。
【図９】タイマー時間の増加補正を説明するための図である。
【図１０】外出時退館タイマー時間の補正処理の手順を示すフローチャートである。
【符号の説明】
【００９７】
１００，７００  警備装置
２０３  センサ
２１０，７１０  本体部
２１１  入出力制御部
２１２  警備モード記憶部
２１３  警備モード切替部
２１４  時間記憶部
２１５  タイマー
２１６  計測部
２１７  異常通報部
２３０  コントローラ
２３１  操作表示部
２３２  マイク
２３３  スピーカ
３００  携帯端末
７０１  補正部
７０２  実測時間記憶部
【図１】
2009087039.tif 000003
【図２】
2009087039.tif 000004
【図３】
2009087039.tif 000005
【図４】
2009087039.tif 000006
【図５】
2009087039.tif 000007
【図６】
2009087039.tif 000008
【図７】
2009087039.tif 000009
【図８】
2009087039.tif 000010
【図９】
2009087039.tif 000011
【図１０】
2009087039.tif 000012